(57)【要約】      （修正有）【課題】網戸の下框に取付られる戸車ユニットのみの操作で網戸の建付調整や外れ止め調整、並びに建て込み時に戸車のコマが邪魔にならないようにコマを戸車ユニット内にロックする機構を具備した網戸用戸車を提供する。【解決手段】網戸１の下框４に本発明の網戸用戸車ユニット５を一対取付、該網戸１を持って戸車ユニット５を下レール２８に押さえつけるようにして戸車のコマ９に荷重を加える操作で、戸車のコマ９を戸車ユニット５内にロックしたり、解除が可能な網戸用戸車を提供する。【選択図】図２ａ
2006322192.tif 000002
【特許請求の範囲】
【請求項１】
網戸の下框に設置される戸車ユニットの構成部品は本体カバー、可動部材、コマ保持部材、コマからなり、
該戸車ユニットを構成する本体カバーには可動部材が第一の回転軸を介して上下方向に回動自在に設置されており、
該可動部材にはコマ保持部材が第二の回転軸を介して上下方向に回動可能に設置されており、
該コマ保持部材にはコマが回転軸リベットにて回転可能に設置されていて戸車ユニットが形成され、
前記本体カバーには前記可動部材を常に下方向付勢しているスプリングと振り子が設けられており、
前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、    
前記振り子とスプリングによる可動部材の回動動作がコマ保持部材を介して下レールに建て込まれるコマに伝達されること、
を特徴とする網戸用戸車。
【請求項２】
網戸の下框に設置される戸車ユニットの構成部品は本体カバー、可動部材、コマ保持部材、コマからなり、
該戸車ユニットを構成する本体カバーには可動部材が第一の回転軸を介して上下方向に回動自在に設置されており、
該可動部材にはコマ保持部材が第二の回転軸を介して上下方向に回動可能に設置されており、
該コマ保持部材にはコマが回転軸リベットにて回転可能に設置されていて戸車ユニットが形成され、
前記本体カバーには前記可動部材を常に下方向付勢しているスプリングと振り子が設けられており、
前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、    
前記振り子とスプリングによる可動部材の回動動作がコマ保持部材を介して下レールに建て込まれるコマに伝達される構成において、
前記振り子の係合突起が前記摺動溝内の係止部に係合した状態ではコマが可動部材により下方へ移動することを規制されたコマのロック状態となり、
該網戸がサッシ枠への建て込み完了後、網戸を持って戸車ユニットを下方に押し下げ動作せしめて前記振り子の係合突起が摺動溝内の係止部に係合したコマのロック状態を解除して、
前記可動部材にコマ保持部を介して取付られたコマが自由な状態になり前記下レールにコマが常に接するように構成したこと、
を特徴とする網戸用戸車。
【請求項３】
前記戸車ユニットを下框に少なくとも一対設置した網戸において、
前記網戸をサッシ枠から取り外す操作は前記網戸を持って戸車ユニットを下レールに押圧せしめコマに荷重を加える操作にて振り子の係合突起が前記摺動溝内の係止部に係合した状態を作りコマが可動部材により下方へ移動することを規制したコマのロック状態を作り、
該コマのロック状態にて前記戸車ユニットサッシ枠下レールへの建て込み、またはコマをサッシ枠の下レールから取り外すよう構成したこと、
を特徴とする請求項１または請求項２記載の網戸用戸車。
【請求項４】
前記戸車ユニットを下框に少なくとも一対設置した網戸において、
前記戸車ユニットの本体カバーの軸受けに回転支持軸を介して支承され回動自在に設置された振り子の形状は、
該振り子の先端部に摺動溝内への係合突起を有し、
該振り子の先端部に設けられた係合突起が常に一方向に回転力を有するように前記回転支持軸にローターアームを設けたこと、
を特徴とする請求項１乃至請求項３のいずれかに記載された網戸用戸車。
【請求項５】
前記振り子の係合突起が常に一方向に回転力を有するよう振り子の回転支持軸にローターアームを設け、
該振り子の係合突起が係合する摺動溝の底辺形状は方向性のある段差を設けた底辺形状となし、
該振り子の係合突起側面が前記摺動溝の底辺に接触して摺動し一方向のみの動作を終了毎に段差に落ちて後戻りしない構成となし、
前記摺動溝内を振り子の係合突起が一方向に回動すること、
を特徴とする請求項１乃至請求項４のいずれかに記載された網戸用戸車。
【請求項６】
前記戸車ユニットを下框に少なくとも一対設置した網戸において、
該網戸用戸車のコマと下レール間の位置決め建付調整は本体カバーに可動部材を介して取付られたコマ保持部材を側面から建付調整ネジにより下方方向に移動することにて行うこと、を特徴とする請求項１乃至請求項５のいずれかに記載された網戸用戸車。
【発明の詳細な説明】
【技術分野】
【０００１】
本発明は、網戸の下框に取付られる戸車部分のみの操作で網戸の建付調整や外れ止め調整、並びに建て込み時に戸車が邪魔にならないように戸車のコマを戸車装置内にロックする機構を具備した網戸用戸車に関するものである。
【背景技術】
【０００２】
住宅用サッシに建て込まれる網戸は、網戸を構成する下框に戸車装置を取付け、この戸車装置をサッシ枠を構成する下枠の下レールに沿って走行自在にサッシ枠に建て込まれており、該網戸は、例えば冬季等の不必要時には居住者が簡単に網戸を取り外し、又は建て込みできるように網戸をサッシ枠の上レールと下レール間に、けんどん式に建て込み、取り外しできるように構成されている。
【０００３】
而して、網戸をサッシ枠の上下のレールにけんどん式に建て込む構造は、網戸の上框に上下方向の長孔を設けており、該長孔内に嵌合代の調整ユニットが設置されている。
【０００４】
網戸の建て込みに際しては、この長孔内にサッシ上枠を嵌合しながら網戸を上方に目一杯持ち上げて下框の戸車をサッシ下枠の下レールに嵌合した後、前記長孔内の調整ユニットにて建て込んだ網戸がサッシ枠から容易に外れることがないようににしている。
【０００５】
しかし、前記調整ユニットは網戸の上框に設けられているために、テラスサッシのような高さのあるサッシ枠に使用される網戸においては、調整ユニットの位置が高すぎて調整作業をするのに大変不便であり、場合によっては不可能であるという問題があった。
【０００６】
また、多くの場合、調整ユニットの調整機構は、網戸の外れ止めガイドを固着するのにビス等で止める機構のものが多く、網戸の取り外し時にガイド取付ビスが錆びて外すことができなかったり、数回の建て込み、取り外し作業により、前記外れ止めガイド取付ビスがガタついて螺着不可能になるという問題があった。  
【０００７】
このような問題に対して特許文献１は、「網戸の下枠に取付けられる取付基部と、この取付基部に上下揺動自在に支承された戸車支承部材と、この戸車支承部材の下端部に取付けた戸車と、前記戸車支承部材を戸車が取付基部の下面より下方に突出した下方位置に付勢するスプリングと、前記取付基部に設けられて戸車支承部材を戸車が取付基部の下面より上方となった上方位置に保持するロック部材より成る網戸用戸車装置。」が開示されており、この網戸用戸車装置によれば、調整機構が下框に設けられているので、上記の不都合は解決されている。
【特許文献１】特許第２５８８０８４号
【発明の開示】
【発明が解決しようとする課題】
【０００８】
しかし、特許文献１にて開示された網戸用戸車装置おいて、戸車はスプリングにより下レール側に付勢されることにより網戸が浮き上がる等の現象が生じてもサッシ枠から外れないようにされてはいるが、建て込み時に戸車が邪魔にならないようように前記スプリングの付勢がロックされており、網戸の建て込み後にロックを解除して戸車を付勢方向に移動させるには、手動でロック部材を操作してロックを解除することが必要であるという問題点があった。
【０００９】
また、特許文献１の発明では、網戸をサッシ枠から取り外してロック状態を復帰するには再び手動にてロック機構を所定位置に配置し直す操作が必要となり、この所定位置が外部の使用者からは見ることができない下框内部にあるので、操作になれない使用者にとっては大きな困難を伴うという問題もあった。
【００１０】
斯くして、本発明は、網戸の下框に本発明の網戸用戸車を一対取付、該網戸を持って網戸用戸車を下レールに押さえつけるようにして戸車のコマに荷重を加える操作で、戸車のコマを戸車装置内にロックしたり、解除が可能な網戸用戸車を提供することを課題としている。
【課題を解決するための手段】
【００１１】
本願発明において、網戸の下框に設置される戸車ユニットの構成部品は、本体カバー、可動部材、コマ保持部材、コマからなり、該戸車ユニットを構成する本体カバーには可動部材が第一の回転軸を介して上下方向に回動自在に設置されており、該可動部材にはコマ保持部材が第二の回転軸を介して上下方向に回動可能に設置されており、該コマ保持部材にはコマが回転軸リベットにて回転可能に設置されていて戸車ユニットが形成され、前記本体カバーには前記可動部材を常に下方向付勢しているスプリングと振り子が設けられており、前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、前記振り子とスプリングによる可動部材の回動動作がコマ保持部材を介して下レールに建て込まれるコマに伝達される構成を要旨としている。
【００１２】
また、本願発明のおいて、網戸の下框に設置される戸車ユニットの構成部品は本体カバー、可動部材、コマ保持部材、コマからなり、該戸車ユニットを構成する本体カバーには可動部材が第一の回転軸を介して上下方向に回動自在に設置されており、該可動部材にはコマ保持部材が第二の回転軸を介して上下方向に回動可能に設置されており、該コマ保持部材にはコマが回転軸リベットにて回転可能に設置されていて戸車ユニットが形成され、前記本体カバーには前記可動部材を常に下方向付勢しているスプリングと振り子が設けられており、前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、    
前記振り子とスプリングによる可動部材の回動動作がコマ保持部材を介して下レールに建て込まれるコマに伝達される構成において、
前記振り子の係合突起が前記摺動溝内の係止部に係合した状態ではコマが可動部材により下方へ移動することを規制されたコマのロック状態となり、該網戸がサッシ枠への建て込み完了後、網戸を持って戸車ユニットを下方に押し下げ動作せしめて前記振り子の係合突起が摺動溝内の係止部に係合したコマのロック状態を解除して、前記可動部材にコマ保持部を介して取付られたコマが自由な状態になり前記下レールにコマが常に接するように構成した。
【００１３】
また、本発明は、戸車ユニットを下框に少なくとも一対設置した網戸において、
前記網戸をサッシ枠から取り外す操作は前記網戸を持って戸車ユニットを下レールに押圧せしめコマに荷重を加える操作にて振り子の係合突起が前記摺動溝内の係止部に係合した状態を作りコマが可動部材により下方へ移動することを規制したコマのロック状態を作り、該コマのロック状態にて前記戸車ユニットサッシ枠下レールへの建て込み、またはコマをサッシ枠の下レールから取り外すよう構成したことを特徴としている。
【００１４】
また、本発明は、戸車ユニットを下框に少なくとも一対設置した網戸において、
前記戸車ユニットの本体カバーの軸受けに回転支持軸を介して支承され回動自在に設置された振り子の形状は、該振り子の先端部に摺動溝内への係合突起を有し、
該振り子の先端部に設けられた係合突起が常に一方向に回転力を有するように前記回転支持軸にローターアームを設けたことを特徴としている。
【００１５】
また、本発明においては、振り子の係合突起が常に一方向に回転力を有するよう振り子の回転支持軸にローターアームを設け、該振り子の係合突起が係合する摺動溝の底辺形状は方向性のある段差を設けた底辺形状となし、該振り子の係合突起側面が前記摺動溝の底辺に接触して摺動し一方向のみの動作を終了毎に段差に落ちて後戻りしない構成となし、前記摺動溝内を振り子の係合突起が一方向に回動することを特徴としている。
【００１６】
更にまた、本発明は、戸車ユニットを下框に少なくとも一対設置した網戸において、該網戸用戸車のコマと下レール間の位置決め建付調整は、本体カバーに可動部材を介して取付られたコマ保持部材を側面から建付調整ネジにより下方方向に移動することにて行うことを特徴としている。
【発明の効果】
【００１７】
斯くして、本発明の網戸用戸車は、戸車がスプリングにより下レール側に付勢されることにより網戸が浮き上がる等の現象が生じてもサッシ枠から外れないように構成され、且つ、建て込み時に戸車が邪魔にならないようようにスプリングの付勢がロックされており、網戸の建て込み後にロックを解除して戸車を付勢方向に移動させるものである。
【００１８】
そして、サッシ枠レールへ網戸の建て込みを完了後、網戸を持って戸車ユニットを下方に押し下げ動作することにより戸車のコマを下レールに押圧せしめコマに荷重を加える操作にてコマのロック状態を解除する新規な構成を提供するものであり、開示された従来の網戸用戸車の如く、手動でロック部材を操作してロックを解除する複雑で居住者等が操作できない機構を改め、簡単操作の戸車装置を提供することができた。
【００１９】
また、従来の網戸用戸車装置では、網戸をサッシ枠から取り外してロック状態を復帰するには、再び、手動にてロック機構を所定位置に配置し直す操作が必要となり、この所定ロック位置が外部の使用者からは見ることができない下框内部にあるので、操作になれない居住者等にとっては大きな困難を伴うという問題も、網戸をサッシ枠に建て込んだまま、網戸を持って戸車ユニットを下レールに押圧せしめコマに荷重を加える操作等をすることにより簡単にコマを戸車ユニット内にロックできて網戸のサッシ枠からの取り外し操作を簡単に行うことが可能となった。
【発明を実施するための最良の形態】
【００２０】
本発明において、網戸の下框に設置される戸車ユニットの構成部品は、本体カバー、可動部材、コマ保持部材、コマからなり、該戸車ユニットを構成する本体カバーには可動部材が第一の回転軸を介して上下方向に回動自在に設置されており、該可動部材にはコマ保持部材が第二の回転軸を介して上下方向に回動可能に設置されており、該コマ保持部材にはコマが回転軸リベットにて回転可能に設置されていて戸車ユニットが形成され、前記本体カバーには前記可動部材を常に下方向付勢しているスプリングと振り子が設けられており、前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、前記振り子とスプリングによる可動部材の回動動作がコマ保持部材を介して下レールに建て込まれるコマに伝達されるように構成されることが好ましい。
【００２１】
また、本発明において、網戸の下框に設置される戸車ユニットの構成部品は本体カバー、可動部材、コマ保持部材、コマからなり、該戸車ユニットを構成する本体カバーには可動部材が第一の回転軸を介して上下方向に回動自在に設置されており、該可動部材にはコマ保持部材が第二の回転軸を介して上下方向に回動可能に設置されており、該コマ保持部材にはコマが回転軸リベットにて回転可能に設置されていて戸車ユニットが形成され、前記本体カバーには前記可動部材を常に下方向付勢しているスプリングと振り子が設けられており、前記可動部材の回動先端部には前記本体カバーに設けられた振り子の係合突起が係合して係止される係止部と該係合突起が離脱した際に摺動し前記可動部材に規定された回動動作を生じせしめる摺動溝が刻設されており、前記振り子とスプリングによる可動部材の回動動作がコマ保持部材を介して下レールに建て込まれるコマに伝達される構成において、前記振り子の係合突起が前記摺動溝内の係止部に係合した状態ではコマが可動部材により下方へ移動することを規制されたコマのロック状態となり、該網戸がサッシ枠への建て込み完了後、網戸を持って戸車ユニットを下方に押し下げ動作せしめて前記振り子の係合突起が摺動溝内の係止部に係合したコマのロック状態を解除して、前記可動部材にコマ保持部を介して取付られたコマが自由な状態になり前記下レールにコマが常に接するように構成することが好ましい。
【００２２】
また、本発明は、戸車ユニットを下框に少なくとも一対設置した網戸において、
前記網戸をサッシ枠から取り外す操作は前記網戸を持って戸車ユニットを下レールに押圧せしめコマに荷重を加える操作にて振り子の係合突起が前記摺動溝内の係止部に係合した状態を作りコマが可動部材により下方へ移動することを規制したコマのロック状態を作り、該コマのロック状態にて前記戸車ユニットサッシ枠下レールへの建て込み、またはコマをサッシ枠の下レールから取り外すよう構成することが好ましい。
【００２３】
また、本発明は、戸車ユニットを下框に少なくとも一対設置した網戸において、
前記戸車ユニットの本体カバーの軸受けに回転支持軸を介して支承され回動自在に設置された振り子の形状は、該振り子の先端部に摺動溝内への係合突起を有し、
該振り子の先端部に設けられた係合突起が常に一方向に回転力を有するように前記回転支持軸にローターアームを設けることが好ましい。
【００２４】
また、本発明においては、振り子の係合突起が常に一方向に回転力を有するよう振り子の回転支持軸にローターアームを設け、該振り子の係合突起が係合する摺動溝の底辺形状は方向性のある段差を設けた底辺形状となし、該振り子の係合突起側面が前記摺動溝の底辺に接触して摺動し一方向のみの動作を終了毎に段差に落ちて後戻りしない構成とすることが好ましい。
【００２５】
更にまた、本発明は、戸車ユニットを下框に少なくとも一対設置した網戸において、該網戸用戸車のコマと下レール間の位置決め建付調整は本体カバーに可動部材を介して取付られたコマ保持部材を側面から建付調整ネジにより下方方向に移動することにて行うことことが好ましい。
【実施例１】
【００２６】
図１乃至図７は、本発明の実施例１を説明するものであり、図１は、本発明の実施部位を示す説明図、図２（a）は戸車ユニットの全体形状を示す斜視説明図、図２（ｂ）は戸車ユニットの分解斜視図、図３は戸車を形成するコマの位置関係並び振り子によるコマの状態を示す動作説明図であり、図３（a）は網戸を建て込む前の状態を示し、また、本願発明の戸車ユニットが網戸の下框に如何様に設置されているかを示す要部切断説明図、図３（ｂ）は網戸を建て込んでコマのロックを外した状態、図３（ｃ）は何らかの理由で網戸が持ち上がり外れ止めが作動している状態をそれぞれ示している。
【００２７】
また、図４（a）乃至図４（ｄ）は可動部材の摺動溝に振り子の係合突起が如何に係合して動作するかを説明する動作説明図、図５は図４における振り子の係合突起部と摺動溝の関係を説明するもので、図５（a）は摺動溝部の拡大図、図５（ｂ）は要部断面説明図、図５（ｃ）は摺動溝底辺部を展開して係合突起の駆動状態を説明する展開図である。
【００２８】
更にまた、図６は実施例１における建付調整動作説明図、図７(a）乃至図７（ｄ）は本発明の網戸用戸車を取り付けた網戸のサッシ枠への取付、取外し動作説明図である。
【００２９】
而して図１乃至図７において、１は網戸、２は上框、３は縦框、４は下框、５は戸車ユニット、６は本体カバー、７は可動部材、８はコマ保持部材、９はコマ、１０は前記コマ９の回転軸リベット、１１はローターアーム付振り子である。
【００３０】
前記本体カバー６は、網戸の下框４内に取付ビス１２により固設されるもので、該本体カバー６は下方に向かってコの字形状を有しており、上面に前記ローターアーム付振り子１１の回転軸部１３を支承する軸受け部１４が刻設されている。  尚、１５はローターアーム付振り子１１に取り付けられたローターアーム、１６は振り子１１の先端部に設けられた係合突起、１７は前記可動部材７を常に下方に付勢している圧縮スプリングである。
【００３１】
また、本体カバー６の側壁１８には、可動部材７を回転可能に支承可能な軸受け孔１９a、１９ｂ、並びに可動部材７の回転規制溝孔２０が穿設されており、前記可動部材７を本体カバー６に第一の回転軸２１を介して回動自在に組み立てられ、該可動部材７の先端部２２には前記圧縮スプリング１７の他端が当接され、前記ローターアーム付き振り子１１の先端部に設けられた係合突起１６は、可動部材７の先端方向に設けられた摺動溝２３に係合している。
【００３２】
そして、更に可動部材７には、コマ９を回転リベット１０にて回転可能に設置したコマ保持部材８が第二の回転軸２４を介して回動部材７の軸受け２５に回転可能に装着され組み立てられている。
尚、２６はコマ保持部８に設けられたの当接部であり、該当接部２６に建付調整ネジ２７の先端が当接され、該建付調整ネジ２７の当接にて可動部材７に対してコマ保持部材８が前記第二の回転軸２４を中心に下方向に回動し、コマ９の建付調整が行われる。
【００３３】
次に図３に基づき、本発明における戸車ユニット５を形成するコマ９の位置関係、並びローターアーム付振り子１１によるコマの動作説明図を行う。
図３（a）は網戸１を建て込む前の状態を示し、該状況は網戸１のコマ９部分を損傷することなく納品したり、該網戸１をサッシ枠の網戸用下レール２８に建て込む場合の最適状態で、ローターアーム付振り子１１の係合突起１６は圧縮スプリング１７により反発され摺動溝２３の係止部２９に係合して前記コマ９の上下移動を阻止された状態、即ち、コマ９がロック状態にある。
【００３４】
而して、図３（a）において、下框４、縦框３、上框（図示せず）から成る網戸２９をサッシ枠の下レール２７に建て込みしょうとすると下レール２８と下框４の下部部分は非常に少ない間隙を有するのみで良いことになり、網戸１の建て込みには非常に都合がよい。
【００３５】
また、図３（ｂ）は、網戸１を構成する下框４、並びに縦框３の図示を省略して戸車ユニット５と下レール２８との関係を示しており、網戸１サッシ枠の下レール２８に建て込んで図２（a）の状態からコマ９のロックを外した状態。即ち、網戸１を持って網戸１自体を軽く押し下げ動作して、コマ９に下レール２８にて下方から荷重を加えた状態を作り、ローターアーム付振り子１１の係合突起１６が摺動溝２３の係止部２９に係合しているのを外してコマ９が下方向に向かって自由な状態になる。
そして通常時、コマ９は、図３（ｂ）に示すようなのフリー状態にて使用される。
【００３６】
図３（ｃ）は、（ｂ）と同様に網戸１を構成する下框４、縦框３の図示を省略している。図３（ｃ）は、一例として、何らかの理由で網戸が持ち上がり外れ止めが作動している状態を示しており、このような状態においても、コマ９は、サッシ枠の下レール２８より外れないように、コマ９の下がり量をコマ９のロック時に比較して最大で１０ｍｍと大きく取った設計がなされている。
【００３７】
次に、図４（a）乃至図４（ｄ）において、可動部材７の摺動溝２３にローターアーム付振り子１１の係合突起１６が如何に係合して動作するかを説明する。
図３（a）は前記図２（a）のコマ９のロック状態から、コマ９に下方から荷重を加えると、ローターアーム付振り子１１の係合突起１６が摺動溝２３内に設けられた係止部２９から外れ、ローターアーム付振り子１１がフリーの状態になる。そして、ローターアーム付振り子１１は、図４(a）の如く回転軸部１３を中心に時計回りに回動する。そして、この動作に関しては、ローターアーム付振り子１１にスプリング等を介在させることや摺動溝２３の形状を工夫することにより、より円滑な振り子の回動動作が実現できる。
【００３８】
従って、図４（a）の状態にて、網戸１に下方の力を加えることによりローターアーム付振り子１１の係合突起１６は、図４(a）から、図４(ｂ）、図４(ｃ）と駆動して図４(ｄ）にてコマ９のロック時状態に戻る。
【００３９】
斯くして、図５は、前記図４における振り子の係合突起部と摺動溝の関係を説明するもので、図５（a）は摺動溝部の拡大図、図５（ｂ）は要部断面説明図、図５（ｃ）は摺動溝底辺部を展開して係合突起の駆動状態を説明する展開図である。
【００４０】
通常では、ローターアーム付振り子１１は、ローターアーム１５の働きにより常に回転軸部１３を中心に矢印方向に回転する力が作用しているが、図５（a）は、係合突起１６aが摺動溝２３内の係止部２９に係合している状態で係合突起１６aは、コマ９をロックした前記図４（ｄ）の状態を示している。
【００４１】
係合突起１６ｂの状態は、コマ９のロックが解除されローターアーム付振り子１１が、図４(a）の如く回転軸部１３を中心に時計回りに回動し、この時振り子１１の係合突起１６が係合する摺動溝２３の底辺形状は図５（ｂ）、５（ｃ）の断面図の如く方向性のある段差３０a、３０ｂ、３０ｃ、３０ｄを設けた底辺形状であるため、該振り子１１の係合突起１６側面が前記摺動溝２３の底辺３１aに接触して摺動し、一方向のみの回動動作を終了して段差３０aに落ちて後戻りできない形で係止しているのが前記図４(a）の状態である。
【００４２】
そして、前記係合突起１６ｃの位置から係合突起１６ｃの位置へと係合突起１６は、摺動溝２３内を一方向に摺動して、コマ９のロック時状態（係合突起１６aの状態）に戻る。
尚、図５（ｃ）は、摺動溝２３の底辺３１部を展開して係合突起１６の駆動状態を示している。。
【００４３】
また、図６は、戸車ユニット５を下レール２８に建て込んだ時にコマ９と下レール２８との関係、即ち、建付調整を行うためのものであり、該建付調整は建付調整ネジ２７を締めることにより、コマ保持材８が傾きコマ９の位置が下方へと移動することにより行われるもので、該コマ９の位置移動は、最大で５ｍｍ程度調整可能である。そして、建付調整において、コマ保持材８は可動部材７のロックやロック解除には、影響がないために、網戸１の取り外し時に建付調整を戻す必要はない。
【００４４】
而して、図７は、本発明の網戸用戸車を取り付けた網戸のサッシ枠への取付、取外し動作説明図である。図７(a）は、網戸１をサッシ枠３２の上レール３３，下レール２８間に建て込む状態を示し、この状態ではコマ９はロックされた状態、即ち、前記係止突起１６が、摺動溝２３の係止部２９に係止された前記図３（a）或いは図４（ｄ）の状態にて動作される。
【００４５】
次に、図７（ｂ）は前記図７(a）の状態で建て込まれた網戸１のロックをを解除する動作を示すもので、この動作は網戸１を持って戸車ユニット５を下方に押し下げ動作せしめて、前記振り子１１の係合突起１６が摺動溝２３内の係止部２９に係合したコマ９のロック状態を解除して、コマ９が自由な状態になり前記下レール２８にコマ９が常に接する前記図３（ｂ）、図３（ｃ）、或いは図４（a）の状態を簡単動作でつくる。
【００４６】
図７（ｃ）は、上記動作にて、コマ９のロックを外し、図６の如く、網戸１の下方側部より建付調整ネジ２７を締めることにより、建付調整を行い通常使用する。そして、建付調整において、コマ保持材８は可動部材７のロックやロック解除には、影響がないために、網戸１の取り外し時に建付調整を戻す必要はない。
【００４７】
而して、図７（ｄ）は、シーズン・オフとなり網戸１を取り外す場合等の動作で、該動作は、網戸１を持って戸車ユニット５を下方に押し下げ動作せしめて、前記振り子１１の係合突起１６が摺動溝２３内の係止部２９に係合した状態を作りコマ９をロック状態にすると、図７(e）の如く網戸１は簡単に取り外すことができる。
【００４８】
斯くして、本発明のにおいて、網戸１の下框４に設置される戸車ユニット５の構成部品は、本体カバー６、可動部材７、コマ保持部材８、コマ９からなり、該戸車ユニット５を構成する本体カバー５には可動部材７が第一の回転軸２１を介して上下方向に回動自在に設置されており、該可動部材７にはコマ保持部材８が第二の回転軸２４を介して上下方向に回動可能に設置されており、該コマ保持部材８にはコマ９が回転軸リベット１０にて回転可能に設置されていて戸車ユニット５が形成され、前記本体カバー６には前記可動部材７を常に下方向付勢している圧縮スプリング１７と振り子１１が設けられており、前記可動部材７の回動先端部２２には前記本体カバー６に設けられた振り子１１の係合突起１６が係合して係止される係止部２９と該係合突起１６が離脱した際に摺動し前記可動部材７に規定された回動動作を生じせしめる摺動溝２３が刻設されており、前記振り子１１と圧縮スプリング１７による可動部材７の回動動作がコマ保持部材８を介して下レール２８に建て込まれるコマ９に伝達される構成とした。
【００４９】
また、本発明の実施例において、網戸１の下框４に設置される戸車ユニット５の構成部品は、本体カバー６、可動部材７、コマ保持部材８、コマ９からなり、
該戸車ユニット５を構成する本体カバー６には可動部材７が第一の回転軸２１を介して上下方向に回動自在に設置されており、該可動部材７にはコマ保持部材８が第二の回転軸２４を介して上下方向に回動可能に設置されており、該コマ保持部材８にはコマ９が回転軸リベット１０にて回転可能に設置されていて戸車ユニット５が形成され、前記本体カバー６には前記可動部材７を常に下方向付勢している圧縮スプリング１７と振り子１１が設けられており、前記可動部材７の回動先端部２２には前記本体カバー６に設けられた振り子１１の係合突起１６が係合して係止される係止部２９と該係合突起１６が離脱した際に摺動し前記可動部材７に規定された回動動作を生じせしめる摺動溝２３が刻設されており、前記振り子１１と圧縮スプリング１７による可動部材７の回動動作がコマ保持部材８を介して下レール２８に建て込まれるコマに伝達される構成において、前記振り子１１の係合突起１６が前記摺動溝２３内の係止部２９に係合した状態ではコマ９が可動部材７により下方へ移動することを規制されたコマ９のロック状態となり、
該網戸１がサッシ枠への建て込み完了後、網戸１を持って戸車ユニット５を下方に押し下げ動作せしめて前記振り子１１の係合突起１６が摺動溝２３内の係止部２９に係合したコマ９のロック状態を解除して、前記可動部材７にコマ保持部８を介して取付られたコマ９が自由な状態になり前記下レール２８にコマ９が常に接するように構成した。
【００５０】
また、本発明の実施例は、戸車ユニット５を下框４に少なくとも一対設置した網戸１において、前記網戸１をサッシ枠から取り外す操作は前記網戸１を持って戸車ユニット５を下レール２８に押圧せしめコマに荷重を加える操作にて振り子１１の係合突起１６が前記摺動溝２３内の係止部２９に係合した状態を作りコマ９が可動部材７により下方へ移動することを規制したコマ９のロック状態を作り、該コマ９のロック状態にて前記戸車ユニット５をサッシ枠下レール２８への建て込み、またはコマ９をサッシ枠の下レール２８から取り外すよう構成した。
【００５１】
また、本発明の実施例は戸車ユニット５を下框４に少なくとも一対設置した網戸１において、前記戸車ユニット５の本体カバー６の軸受け部１４に回転軸部１３を介して支承され回動自在に設置された振り子１１の形状は、該振り子１１の先端部に摺動溝２３内への係合突起１６を有し、該振り子１１の先端部に設けられた係合突起１６が常に一方向に回転力を有するように前記回転軸部１３にローターアーム１５を設けた構成とした。
【００５２】
また、本発明の実施例は、振り子１１の係合突起１６が常に一方向に回転力を有するよう振り子１１の回転軸部１３にローターアーム１５を設け、
該振り子１１の係合突起１６が係合する摺動溝２３の底辺形状は方向性のある段差を設けた底辺形状となし、該振り子１１の係合突起１６側面が前記摺動溝２３の底辺に接触して摺動し一方向のみの動作を終了毎に段差に落ちて後戻りしない構成となし、前記摺動溝内を振り子の係合突起が一方向に回動するよう構成した。
【００５３】
また、本発明の実施例は、戸車ユニット５を下框４に少なくとも一対設置した網戸１において、
該戸車ユニット５のコマ９と下レール２８間の位置決め建付調整は本体カバー６に可動部材７を介して取付られたコマ保持部材８を側面から建付調整ネジ２７により下方方向に移動することにて行う構成とした。
【産業上の利用可能性】
【００５４】
斯くして、本発明の網戸用戸車は、コマ９が圧縮スプリング１７により下レール２８側に付勢されることにより網戸１が浮き上がる等の現象が生じてもサッシ枠から外れないように構成され、且つ、建て込み時にコマ９が邪魔にならないようように圧縮スプリング１７の付勢がロックされており、網戸１の建て込み後にロックを解除してコマを付勢方向に移動させるもので、下框４部分に設置される戸車ユニット５部で網戸１の建付調整、外れ止め調整、戸車のロック解除並びに再ロック操作が行えるため、産業上優れた網戸製品等を提供することができ、その産業上の利用の可能性は多大なものである。
【図面の簡単な説明】
【００５５】
【図１】実施例１の実施部位説明図である。
【図２】実施例１の戸車ユニット斜視説明図、並びに分解斜視図である。
【図３】実施例１のコマの動作説明説明図である。
【図４】実施例１における振り子の係合動作説明図である。
【図５】実施例１における摺動溝の拡大説明図である。
【図６】実施例１における建付調整動作説明図である。
【図７】実施例１における取付、取外し説明図である。
【符号の説明】
【００５６】
１  網戸
２  上框
３  縦框
４  下框
５  戸車ユニット
６  本体カバー
７  可動部材
８  コマ保持部材
９  コマ
１０  回転軸リベット
１１  ローターアーム付振り子  
１２  取付ビス
１３  回転軸部
１４  軸受け部
１５  ローターアーム
１６  係合突起
１７  圧縮スプリング
１８  側壁
１９a、１９ｂ  軸受け孔
２０  回転規制溝孔
２１  第一の回転軸
２２  先端部
２３  摺動溝
２４  第二の回転軸
２５  軸受け
２６  当接部
２７  建付調整ネジ
２８  下レール
２９  係止部
３０、３０a、３０ｂ、３０ｃ、３０ｄ  段差  
３１、３１a、３１ｂ、３１ｃ、３１ｄ  底辺
３２  サッシ枠
３３  上レール
【図１】
2006322192.tif 000003
【図２ａ】
2006322192.tif 000004
【図２ｂ】
2006322192.tif 000005
【図３ａ】
2006322192.tif 000006
【図３ｂ】
2006322192.tif 000007
【図３ｃ】
2006322192.tif 000008
【図４ａ】
2006322192.tif 000009
【図４ｂ】
2006322192.tif 000010
【図４ｃ】
2006322192.tif 000011
【図４ｄ】
2006322192.tif 000012
【図５ａ】
2006322192.tif 000013
【図５ｂ】
2006322192.tif 000014
【図５ｃ】
2006322192.tif 000015
【図６】
2006322192.tif 000016
【図７ａ】
2006322192.tif 000017
【図７ｂ】
2006322192.tif 000018
【図７ｃ】
2006322192.tif 000019
【図７ｄ】
2006322192.tif 000020
【図７ｅ】
2006322192.tif 000021